(57)【要約】【課題】ＤＶフォーマットの映像音声信号をＭＰＥＧ方式の信号に変換せずにディスク記録媒体に記録できる記録再生装置を提供する。【解決手段】オーディオデータを格納したオーディオＤＩＦブロック、ビデオデータを格納したビデオＤＩＦブロックがオーディオ／ビデオ抽出部１で抽出され、ＨＤＤ１０の独立した記録領域に夫々記録される。システムデータとオーディオ補助データは、システムデータ再構成部４で抽出された後、フレーム情報生成部７が生成したフレーム情報と共にＨＤＤ１０のシステムデータ記録領域に記録される。各データが異なる領域に記録され、且つオーディオ補助データがシステムデータと共に記録されるため、編集作業に伴うデータの書き換えが容易に行える。【選択図】  図１
2004201168.tif 000002
【特許請求の範囲】
【請求項１】
入来するＤＩＦストリームからオーディオデータ及びビデオデータをＤＩＦブロック単位で抽出する抽出部と、
前記ＤＩＦストリームからシステムデータをＤＩＦブロック単位で抽出すると共にオーディオ補助データを抽出し、抽出したデータから不要データを取り除くことにより抽出データを再構成するデータ再構成部と、
前記ＤＩＦストリームにおけるエラーの有無をフレーム単位で検出し、検出結果をエラー情報として出力するフレームエラー検出部と、
前記抽出部で抽出した前記オーディオデータと、前記抽出部で抽出した前記ビデオデータと、前記再構成した抽出データに前記エラー情報を付加した再構成システムデータとを、記録媒体上に夫々分離して設けられるオーディオデータ領域と、ビデオデータ領域と、システムデータ領域とに所定のデータ量単位で記録し、再生する記録再生部と、
前記記録再生部により再生される前記再構成システムデータから前記エラー情報を検出するエラー情報検出部と、
前記記録再生部により再生される前記オーディオデータと、前記ビデオデータと、前記再構成システムデータとを合成するに際し、前記再構成システムデータに含まれる前記オーディオ補助データにより前記オーディオデータ内のオーディオ補助データを置き換え、更に前記エラー情報検出部にてフレームエラーが検出された場合に前記ＤＩＦストリームにおけるフレームエラーフラグを書き換える合成部とを有する記録再生装置。
【発明の詳細な説明】
【0001】
【発明の属する技術分野】
ＤＶフォーマットの映像音声信号をハードディスク等のディスク記録媒体に記録し、再生する記録再生装置及び記録再生方法に関する。
【0002】
【従来の技術】
ＤＶフォーマットの映像音声信号を記録し、再生する記録再生装置として、カメラ一体型のＶＣＲ（ビデオカメラ）が広く普及している。このＤＶフォーマットの映像音声信号では、映像信号にフレーム内の圧縮符号化が施されているため、フレーム単位での編集が容易である。しかし、その反面、情報圧縮効率が低く単位時間あたりのデータ量が多い。
【0003】
一方、ＭＰＥＧ（Moving Picture Experts Group）方式の圧縮符号化を施した映像音声信号をハードディスクや光ディスク等のディスク記録媒体に記録し、再生する記録再生装置として、ハードディスクレコーダやＤＶＤレコーダが普及している。このＭＰＥＧ方式の映像音声信号では、映像信号にフレーム間の圧縮符号化が施されるため、情報圧縮効率が高く単位時間あたりのデータ量が小さい。従って、家庭内で放送番組を記録再生させる据え置きタイプの記録再生装置の場合、映像音声信号の圧縮符号化方式として、その大半がＭＰＥＧ方式を採用している。
【0004】
このように、現在、ビデオカメラではＤＶフォーマットによる映像音声信号、据え置きタイプの記録再生装置ではＭＰＥＧ方式の映像音声信号を記録再生するものが主流となっている。しかし、ビデオカメラで記録した映像音声信号を据え置きタイプの記録再生装置にコピーして、この映像音声信号を据え置きタイプの記録再生装置から再生したいという要望や、この映像音声信号を据え置きタイプの記録再生装置で編集処理したいという要望が多くなっている。
【0005】
そして、このような要望に応えるべく、ＩＥＥＥ１３９４等のディジタルインターフェース等を介してビデオカメラが送信する映像音声信号をＭＰＥＧ方式の映像音声信号に変換して記録するようにした据え置きタイプの記録再生装置が出現しつつある。
【0006】
【特許文献１】
特開２００１―９４９２１号公報
【0007】
【発明が解決しようとする課題】
ところが、このようにＤＶフォーマットの映像音声信号をＭＰＥＧ方式の映像音声信号に変換して記録した場合、この映像音声信号の記録に必要な記録容量を削減できるというメリットはあるものの、フレーム単位の編集処理が行いにくく、また、アフレコの処理が行えなくなるといった問題がある。
【0008】
一方、ビデオカメラが送信するＤＶフォーマットの映像音声信号をＭＰＥＧ方式の映像音声信号に変換せずにＤＩＦストリームのまま記録することも考えられる。しかし、ＤＩＦストリームの映像音声信号は、そのデータ構造がディスクへの記録に最適化されているものではないため、システム情報の一括的な管理が行えず、アフレコ等の処理を行う際に処理が煩雑になるという問題がある。
【0009】
以上のような問題点に鑑み、本発明は、ＤＶフォーマットの映像音声信号をディスク記録媒体に記録するに際して、これをディスクへの記録に適したフォーマットに変換して記録するようにした記録再生装置及び記録再生方法を提供することを目的とする。
【0010】
【課題を解決するための手段】
以上の課題を解決するために、本発明に係る記録再生装置は、
入来するＤＩＦストリームからオーディオデータ及びビデオデータをＤＩＦブロック単位で抽出する抽出部と、
前記ＤＩＦストリームからシステムデータをＤＩＦブロック単位で抽出すると共にオーディオ補助データを抽出し、抽出したデータから不要データを取り除くことにより抽出データを再構成するデータ再構成部と、
前記ＤＩＦストリームにおけるエラーの有無をフレーム単位で検出し、検出結果をエラー情報として出力するフレームエラー検出部と、
前記抽出部で抽出した前記オーディオデータと、前記抽出部で抽出した前記ビデオデータと、前記再構成した抽出データに前記エラー情報を付加した再構成システムデータとを、記録媒体上に夫々分離して設けられるオーディオデータ領域と、ビデオデータ領域と、システムデータ領域とに所定のデータ量単位で記録し、再生する記録再生部と、
前記記録再生部により再生される前記再構成システムデータから前記エラー情報を検出するエラー情報検出部と、
前記記録再生部により再生される前記オーディオデータと、前記ビデオデータと、前記再構成システムデータとを合成するに際し、前記再構成システムデータに含まれる前記オーディオ補助データにより前記オーディオデータ内のオーディオ補助データを置き換え、更に前記エラー情報検出部にてフレームエラーが検出された場合に前記ＤＩＦストリームにおけるフレームエラーフラグを書き換える合成部とを有することを特徴とするものである。
【0011】
【発明の実施の形態】
以下、本発明の実施の形態につき、好ましい実施例により説明する。
図１は、本発明の実施例に係る記録再生装置の記録系の構成、図２は本発明の実施例に係る記録再生装置の再生系の構成を示すものである。なお、本実施例では、ＤＩＦストリームの形態で外部機器から転送されたＤＶフォーマットの映像音声信号をハードディスクドライブにより記録再生する記録再生装置について説明する。
【0012】
また、図３乃至図５は、本実施例に係る記録再生装置に入来するＤＩＦストリームのデータ構造を示しており、図３は５２５ライン／３０フレームシステムの信号における１フレーム分、図４はこの信号における１ＤＩＦシーケンス分、図５はこの信号のうちオーディオデータを格納するオーディオＤＩＦブロックを示すものである。
【0013】
ここでは、まず図３乃至図５を用いて、本実施例に係る記録再生装置に入来するＤＩＦストリームのデータ構造について説明する。図３に示す如く、５２５ライン／３０フレームシステムの信号では、１フレームのデータが１０個のＤＩＦシーケンス（０〜９）により構成されており、各ＤＩＦシーケンスは、夫々１２０００バイトのデータよりなる。
【0014】
１つのＤＩＦシーケンスは、図４に示す如く、８０バイト単位の全部で１５０個のＤＩＦブロックから成り、ＤＩＦシーケンスにおける先頭のブロックがヘッダＤＩＦブロック（Ｈ０）、次の２つのブロックがサブコードＤＩＦブロック（ＳＣ０、ＳＣ１）、次の３つのブロックがビデオ補助ＤＩＦブロック（ＶＡ０〜ＶＡ２）、残る１４４個のブロックがオーディオＤＩＦブロック（Ａ０〜Ａ８）及びビデオＤＩＦブロック（Ｖ０〜Ｖ１３４）である。なお、図４に示す如く、オーディオＤＩＦブロックは、ビデオ補助ＤＩＦブロック（ＶＡ２）の直後と、それ以降、１５個のビデオＤＩＦブロック毎に１つずつ挿入されている。
【0015】
ここで、ビデオデータとビデオ補助データは、夫々ビデオＤＩＦブロック（Ｖ０〜Ｖ１３４）とビデオ補助ＤＩＦブロック（ＶＡ０〜ＶＡ２）とに分散して格納されているが、オーディオデータとオーディオ補助データは、図５に示す如く、同一のオーディオＤＩＦブロック内に格納されている。また、オーディオＤＩＦブロック内においては、先頭の３バイトがＩＤ、次の５バイトがオーディオ補助データ、残りの７２バイトがオーディオデータに割り当てられている。
【0016】
オーディオＤＩＦブロック以外のＤＩＦブロックのデータ構造については、ここでは図示しないが、いずれのＤＩＦブロックも先頭の３バイトはＩＤに割り当てられており、このＩＤによってＤＩＦブロックの種別、ＤＩＦシーケンス番号、ＤＩＦブロック番号等が識別可能になる。
【0017】
次に、図１に示す本実施例に係る記録再生装置の記録系の構成について説明する。図１において、１は入来するＤＩＦストリームにおける各ＤＩＦブロックのＩＤを検出し、このストリームからオーディオＤＩＦブロック及びビデオＤＩＦブロックを抽出するオーディオ／ビデオ抽出部、２はオーディオ／ビデオ抽出部１が抽出したオーディオＤＩＦブロックが書き込まれるオーディオＦＩＦＯ、３はオーディオ／ビデオ抽出部１が抽出したビデオＤＩＦブロックが書き込まれるビデオＦＩＦＯである。
【0018】
また、４は入来するＤＩＦストリームにおける各ＤＩＦブロックのＩＤを検出し、このストリームからヘッダＤＩＦブロック（Ｈ０）、サブコードＤＩＦブロック（ＳＣ０、ＳＣ１）、ビデオ補助ＤＩＦブロック（ＶＡ０〜ＶＡ２）、オーディオＤＩＦブロック（Ａ０〜Ａ８）を抽出し、抽出したデータを再構成するシステムデータ再構成部、５はシステムデータ再構成部が抽出したＤＩＦブロックの数をＤＩＦブロックの種別毎にカウントするカウンタである。
【0019】
また、６は入来するＤＩＦストリームにおける１フレーム分のＤＩＦブロックの数をＤＩＦストリームと共に検出可能なストローブ信号によりカウントし、フレーム内におけるブロック数の異常を検出するフレーム異常検出部、７はカウンタ５のカウント値とフレーム異常検出部６における検出結果に基づきフレーム情報を生成するフレーム情報生成部である。
【0020】
また、８はシステムデータ再構成部４で再構成したシステムデータとフレーム情報生成部７が生成したフレーム情報とが書き込まれるシステムデータＦＩＦＯ、９はオーディオＦＩＦＯ２、ビデオＦＩＦＯ３、システムデータＦＩＦＯ８の夫々から順次読み出されるデータが書き込まれるＳＤ−ＲＡＭ、１０はＳＤ−ＲＡＭから読み出されるデータを５１２バイトのセクタ単位で磁気ディスクに書き込むＨＤＤである。
【0021】
以下、本実施例に係る記録再生装置の記録系の動作を説明する。図４で示したようなＤＩＦストリームが外部から入来すると、オーディオ／ビデオ抽出部１は、このストリームの中からオーディオＤＩＦブロック（Ａ０〜Ａ８）及びビデオＤＩＦブロック（Ｖ０〜Ｖ１３４）を抽出し、オーディオＤＩＦブロック（Ａ０〜Ａ８）をオーディオＦＩＦＯ２へ、ビデオＤＩＦブロック（Ｖ０〜Ｖ１３４）をビデオＦＩＦＯ３へ振り分けて出力する。
【0022】
そして、オーディオＦＩＦＯ２及びビデオＦＩＦＯ３に書き込まれたオーディオＤＩＦブロック及びビデオＤＩＦブロックは、夫々ブロック単位でＳＤ−ＲＡＭ９に転送される。各ＤＩＦブロックのデータがＳＤ−ＲＡＭ９内に複数ブロック分蓄積されると、ＳＤ−ＲＡＭ９からＨＤＤ１０に、５１２バイト単位でデータが読み出され、ＨＤＤ１０内の記録媒体にデータが記録される。
【0023】
図６（ａ）及び（ｂ）は、オーディオＦＩＦＯ２及びＳＤ−ＲＡＭ９を介してＨＤＤ１０に記録されるオーディオＤＩＦブロックのデータを説明するための図である。ここで、１ＤＩＦシーケンス分のオーディオＤＩＦブロックは、前述の如く全部で９個のブロックよりなり、全てのブロックを同一のセクタに記録することはできない。
【0024】
そこで、６つのオーディオＤＩＦブロックを同一のセクタに記録するが、６つのオーディオＤＩＦブロックのみでは、そのデータ量が８０×６＝４８０バイトであり、５１２バイトに満たない。従って、６つのオーディオＤＩＦブロックにスタッフィングデータを加えて合計５１２バイトとした後に、ＳＤ−ＲＡＭ９からＨＤＤ１０にこのデータが転送される。
【0025】
そして、残る３つのオーディオＤＩＦブロックは、次のＤＩＦシーケンスのオーディオＤＩＦブロックと組み合わせて同一のセクタに記録される。このようにして、２つのＤＩＦシーケンスのオーディオＤＩＦブロックが、記録媒体上の３つのセクタに割り当てられ、５つのＤＩＦシーケンスのオーディオＤＩＦブロックが記録媒体上の８つのセクタに割り当てられる。
【0026】
そして、このようにセクタへの割り当てが行われたオーディオＤＩＦブロックがＨＤＤ１０の記録媒体に記録される。また、ビデオＤＩＦブロックに関しても適宜セクタ割り当てが行われてＨＤＤ１０の記録媒体に記録される。なお、記録媒体上には、オーディオデータ記録用領域と、ビデオデータ記録用領域と、システムデータ記録用領域とが夫々別個に設けられており、オーディオＤＩＦブロックはオーディオデータ記録用領域、ビデオＤＩＦブロックはビデオデータ記録用領域に記録される。
【0027】
また、図７に示す如く、ＤＶフォーマットの音声信号フォーマットには、４８ｋＨｚ、４４．１ｋＨｚ又は３２ｋＨｚで１６ビットの線形量子化を行う２ｃｈモードと、３２ｋＨｚで１２ビットの非線形量子化を行う４ｃｈモードとがある。２ｃｈモードでは、例えば左右各チャンネルのデータが夫々シーケンス０〜４と、シーケンス５〜９とに割り当てられ、４ｃｈモードでは例えば左右両チャンネルのメインデータと、これとは別の左右両チャンネルのサブデータとが夫々シーケンス０〜４と、シーケンス５〜９とに割り当てられる。そして、シーケンス０〜４のオーディオＤＩＦブロックとシーケンス５〜９のオーディオＤＩＦブロックとは、記録媒体のオーディオデータ記録領域のなかで夫々別個の記録領域に記録される。
【0028】
一方、システムデータ再構成部４は、入来するＤＩＦストリームにおける各ＤＩＦブロックのＩＤを検出し、ヘッダＤＩＦブロック（Ｈ０）、サブコードＤＩＦブロック（ＳＣ０、ＳＣ１）、ビデオ補助ＤＩＦブロック（ＶＡ０〜ＶＡ２）、オーディオＤＩＦブロック（Ａ０〜Ａ８）を抽出する。そして、これらのＤＩＦブロックからＨＤＤ１０の記録に必要なデータのみを抽出する。
【0029】
図８（ａ）は、システムデータ再構成部４で抽出されるデータの詳細を示す図であり、図示の如く、ヘッダＤＩＦブロック（Ｈ０）における先頭の８バイト、サブコードＤＩＦブロック（ＳＣ０、ＳＣ１）における先頭の５２バイト、オーディオＤＩＦブロック（Ａ０〜Ａ８）における先頭の８バイト（図５に示す３バイトのＩＤと５バイトのオーディオ補助データ）が抽出される。なお、ヘッダＤＩＦブロック（Ｈ０）における残りの７２バイト、サブコードＤＩＦブロック（ＳＣ０、ＳＣ１）における残りの２８バイトは、主にリザーブに設定されており、これらのデータは抽出されない。
【0030】
また、ビデオ補助ＤＩＦブロック（ＶＡ０〜ＶＡ２）については、これらのＤＩＦブロックにおける全てのデータが抽出される。図８では、各ＤＩＦブロックから抽出したデータに２〜１６の番号を付しており、括弧内にはデータのバイト数を示している。そして、このようにして抽出されたデータは、システムデータＦＩＦＯ８に順次出力される。
【0031】
カウンタ５はシステムデータ再構成部４で抽出したＤＩＦブロックをその種別毎にカウントし、１フレーム分カウントするとこれをフレーム情報生成部７に出力する。また、フレーム異常検出部６は、各ＤＩＦブロックと共に検出されるストローブ信号によりＤＩＦブロックの数をカウントし、ＤＩＦブロックの数がフレーム単位で正常であるか否かを検出する。
【0032】
フレーム情報生成部７は、フレーム異常検出部６の検出結果とカウンタ５の出力により、図９に示すようなフレーム情報を生成し、これをシステムデータＦＩＦＯ８に出力する。そして、システムデータＦＩＦＯ８には、図８（ａ）に示したシステムデータ再構成部４の抽出データと、図９に示したフレーム情報生成部７によるフレーム情報とが書き込まれる。その際、図８（ｂ）に示すようなイメージデータがＳＤ−ＲＡＭ９内に形成されるよう、システムデータ再構成部４及びフレーム情報生成部７のデータ出力タイミングが適宜調整され、システムデータＦＩＦＯ８内のデータは、８０バイト単位でＳＤ−ＲＡＭ９に出力される。
【0033】
図８（ｂ）は、ＳＤ−ＲＡＭ９内に形成される５１２バイト単位のイメージデータのデータ構造を示すものであり、８バイトから成る先頭のデータ１は、フレーム情報生成部７が生成したフレーム情報である。また、それ以降のデータ２〜１６は、図８（ａ）に示すデータ２〜１６に対応しており、網目表示される部分にはスタッフィングデータが挿入されている。
【0034】
なお、前述の如くフレーム情報は、フレーム単位で生成される情報であるため、この情報はフレーム全体を受信した後に生成される。従って、図８（ｂ）において、データ２〜１６が所定フレームのＤＩＦシーケンス０のデータであるとすると、データ１は１つ前のフレームのフレーム情報を示している。また、ＤＩＦシーケンス１〜９のシステムデータには、フレーム情報は付加されないため、図８（ｂ）のデータ１で示した箇所にはスタッフィングデータが挿入される。
【0035】
そして、システムデータＦＩＦＯ８からＳＤ−ＲＡＭ９へは、８０バイト単位のデータを６回出力することにより４８０バイト分のデータが転送される。なお、システムデータＦＩＦＯ８からＳＤ−ＲＡＭ９への１回目、２回目及び６回目のデータ出力時には、出力データのデータ量が８０バイトに満たないため、正味のデータにスタッフィングデータを加えて８０バイトのデータとして出力される。
【0036】
また、全６回の出力では、記録データが５１２バイトに満たないため、ＳＤ−ＲＡＭ９へのデータの書き込みに伴って、更に３２バイト分のスタッフィングデータが加えられて、５１２バイトの記録イメージデータが形成される。そして、このようにして形成された記録データのイメージがＨＤＤ１０内の記録媒体におけるシステムデータ記録用領域に記録される。
【0037】
以上のように、本実施例に係る記録再生装置によれば、外部から入来するＤＩＦストリームからオーディオＤＩＦブロックとビデオＤＩＦブロックとが抽出されて、夫々オーディオデータ記録用領域とビデオデータ記録用領域とに記録される。更に、システムデータに関しては、再構成した後にフレーム情報が付加されてシステムデータ記録用領域に記録される。
【0038】
次に、図２を用いて本実施例に係る記録再生装置の再生系の構成について説明する。図２において、１０は前述の如くオーディオＤＩＦブロックとビデオＤＩＦブロックとシステムデータとが記録される記録媒体からこれらのデータを読み出すＨＤＤ、２１はＨＤＤ１０から５１２バイト毎に読み出されるデータが書き込まれるＳＤ−ＲＡＭである。
【0039】
また、２２はＳＤ−ＲＡＭ２１からブロック単位で読み出されるオーディオＤＩＦブロックが書き込まれるオーディオＦＩＦＯ、２３はＳＤ−ＲＡＭ２１からブロック単位で読み出されるビデオＤＩＦブロックが書き込まれるビデオＦＩＦＯ、２４はＳＤ−ＲＡＭ２１から８０バイト単位で読み出されるシステムデータが書き込まれるシステムデータＦＩＦＯである。
【0040】
なお、ここでは、ＳＤ−ＲＡＭ２１、オーディオＦＩＦＯ２２、ビデオＦＩＦＯ２３、システムデータＦＩＦＯ２４は、図１で示した記録系と別の構成として示したが、これらのメモリを記録系と再生系とで共用できるように構成しても構わない。
【0041】
また、２５はシステムデータＦＩＦＯ２４から読み出されるデータからフレーム情報を検出するフレーム情報検出部、２６はオーディオＦＩＦＯ２２から読み出されるオーディオＤＩＦブロック、ビデオＦＩＦＯ２３から読み出されるビデオＤＩＦブロック、システムデータＦＩＦＯ２４から読み出されるシステムデータを合成してＤＩＦストリームを生成するＤＩＦストリーム生成部である。
【0042】
以下、本実施例に係る記録再生装置の再生系の動作を説明する。ＨＤＤ１０の記録媒体に記録されている映像音声信号を再生する際は、オーディオデータ記録用領域から読み出されたオーディオＤＩＦブロックはＳＤ−ＲＡＭ２１を介してオーディオＦＩＦＯ２２に出力され、ビデオデータ記録用領域から読み出されたビデオＤＩＦブロックはＳＤ−ＲＡＭ２１を介してビデオＦＩＦＯ２３に出力される。
【0043】
そして、システムデータ記録用領域から読み出されたシステムデータはＳＤ−ＲＡＭ２１を介してシステムデータＦＩＦＯ２４に出力される。なお、その際ＳＤ−ＲＡＭ２１とシステムデータＦＩＦＯ２４との間は、８０バイト単位でデータが転送される。フレーム情報検出部２５は、システムデータＦＩＦＯ２４から読み出されるデータからフレーム情報を検出し、このフレーム情報の検出結果をＤＩＦストリーム生成部２６に出力する。
【0044】
ここで、まずＤＩＦストリーム生成部２６は、システムデータＦＩＦＯ２４から読み出したデータにより、図４で示した１ＤＩＦシーケンス分のデータにおけるヘッダＤＩＦブロック（Ｈ０）、サブコードＤＩＦブロック（ＳＣ０、ＳＣ１）、ビデオ補助ＤＩＦブロック（ＶＡ０〜ＶＡ２）を復元する。
【0045】
そして、オーディオＦＩＦＯ２２から読み出されるオーディオＤＩＦブロック、ビデオＦＩＦＯ２３から読み出されるビデオＤＩＦブロックを図４に示す如く配列することになるが、オーディオＦＩＦＯ２２から読み出されるオーディオＤＩＦブロック（Ａ０〜Ａ８）における先頭の８バイト（図５に示す３バイトのＩＤと５バイトのオーディオ補助データ）は、システムデータＦＩＦＯ２４から読み出されるデータにより置き換えられる。つまり、図８（ｂ）に示すデータ８〜１６により、オーディオＦＩＦＯ２２から読み出されるオーディオＤＩＦブロック（Ａ０〜Ａ８）における各先頭の８バイトが置き換えられてＤＩＦシーケンスが復元される。
【0046】
ここで、フレーム情報検出部２５におけるフレーム情報の検出の結果、フレーム異常が発見されなかった場合には、復元したＤＩＦストリームをそのまま外部機器に出力したり、内部のＤＶデコーダ等に出力するが、フレーム異常が発見された場合には、ＤＩＦストリームにおけるフレーム異常を示すフラグがたてられる。従って、このＤＩＦストリームを受けた内部のデコーダ又は外部機器は、この異常フレームを前フレームによりコンシールする等の処理を行える。
【0047】
以上の如く、本実施例に係る記録再生装置によれば、ＤＩＦストリームの中からオーディオデータ、ビデオデータ、システムデータが夫々抽出されて、これらのデータが夫々専用の領域にまとめて記録される。また、各オーディオＤＩＦブロックの先頭８バイト（図５に示す３バイトのＩＤと５バイトのオーディオ補助データ）のデータは、オーディオデータ記録用領域と、システムデータ記録用領域とに重複して記録されるが、再生時にシステムデータ記録用領域に記録されていたデータによりオーディオデータ記録用領域に記録されていたデータが上書き消去される。
【0048】
従って、ＨＤＤ１０の記録媒体に記録されている映像音声信号を編集する際には、オーディオデータ、ビデオデータ、システムデータを夫々の領域内で書き換えれば良く、この編集に伴う処理を簡素化することができる。
【0049】
また、本実施例に係る記録再生装置によれば、図７で示した４ｃｈモードでの記録時には、メインの２チャンネルとサブの２チャンネルとが夫々別々の領域に記録される。従って、例えばサブの２チャンネルをアフレコ編集する際は、このサブチャンネルのオーディオＤＩＦブロックが記録されている領域のデータと、オーディオ補助データ、つまり、図８（ｂ）のデータ８〜１６で示したデータを書き換えれば良く、このアフレコ編集に伴う処理を簡素化することができる。
【0050】
なお、以上の実施例では、５２５ライン／３０フレームシステムの信号に対する処理を示したが、６２５ライン／２５フレームシステムの信号にも適用できる。６２５ライン／５０フィールドシステムの信号の場合、１フレームのデータが１２個のＤＩＦシーケンス（０〜１１）により構成されているため、１フレーム分のデータ量は、１２０００×１２＝１４４０００バイトとなっている。しかし、１ＤＩＦシーケンス分のデータ構造は、図４に示したものと全く同一であるため、システムデータ再構成部４での抽出動作、フレーム情報生成部７によるフレーム情報の生成動作は、先の説明と全く同一のものとなる。
【0051】
【発明の効果】
本発明によれば、ＤＩＦストリームから抽出されたオーディオデータと、ビデオデータと、システムデータとが夫々記録媒体上で異なる領域に記録され、更にビデオ補助データがシステムデータの一部として記録されるため、編集作業に伴う処理を簡素化できるという効果を奏する。
【図面の簡単な説明】
【図１】本発明の実施例に係る記録再生装置の記録系の構成を示す図である。
【図２】本発明の実施例に係る記録再生装置の再生系の構成を示す図である。
【図３】５２５ライン／３０フレームシステムの信号の１フレーム分のＤＩＦストリームを示す図である。
【図４】１ＤＩＦシーケンス分データ構造を示す図である。
【図５】オーディオＤＩＦブロックのデータ構造を示す図である。
【図６】オーディオＤＩＦブロックのセクタ割り当てを示す図である。
【図７】音声信号フォーマットを示す図である。
【図８】本発明の実施例に係る記録再生装置で記録時に抽出するシステムデータを示す図である。
【図９】本発明の実施例に係る記録再生装置で記録時に生成するフレーム情報の一例を示す図である。
【符号の説明】
１…オーディオ／ビデオ抽出部
２、２２…オーディオＦＩＦＯ
３、２３…ビデオＦＩＦＯ
４、２４…システムデータ再構成部
５…カウンタ
６…フレーム異常検出部
７…フレーム情報生成部
８…システムデータＦＩＦＯ
９、２１…ＳＤ−ＲＡＭ
１０…ＨＤＤ
２５…フレーム情報検出部
２６…ＤＩＦストリーム生成部
【図１】
2004201168.tif 000003
【図２】
2004201168.tif 000004
【図３】
2004201168.tif 000005
【図４】
2004201168.tif 000006
【図５】
2004201168.tif 000007
【図６】
2004201168.tif 000008
【図７】
2004201168.tif 000009
【図８】
2004201168.tif 000010
【図９】
2004201168.tif 000011